(57)【特許請求の範囲】
【請求項１】
旋網を用いた操業におけるパースラインの巻き込みの際に、前記パースラインに係合された複数のパースリングを収納するリングホルダにおいて、
前記パースラインの巻き込み方向に沿って長尺とされ、前記巻き込みの際に、パースラインを摺接させて保持しつつ、このパースラインに係合されたパースリングを順次貫通させて収納するためのロッド部を有し、前記ロッド部は、その基端部を鉛直方向および水平方向に回動可能に支持されていることを特徴とするリングホルダ。
【請求項２】
旋網を用いた操業におけるパースラインの巻き込みの際に、前記パースラインに係合された複数のパースリングを収納するリングホルダを用いた旋網の操業方法において、
パースラインの巻き込み方向に沿って長尺とされ、前記巻き込みの際にパースラインを摺接させて保持しつつ前記パースラインに係合されたパースリングを順次貫通させて収納するためのロッド部を有するとともに、このロッド部が、その基端部を鉛直方向および水平方向に回動可能に支持されたリングホルダを用いて前記パースリングの収納を行うことを特徴とするリングホルダを用いた旋網の操業方法。
【請求項３】
前記パースラインの巻き込み後、このパースラインをパースリングとともに船尾側へ繰り出しつつ前記パースラインが接続された旋網を船尾側に移動させ、この船尾側において後続の魚汲みを行う場合に、前記パースラインが保持されたロッド部を船尾側に向けて回動させた状態で前記パースラインおよび前記パースリングの船尾側への繰り出しを行うことを特徴とする請求項２に記載のリングホルダを用いた旋網の操業方法。
【発明の詳細な説明】
【０００１】
【産業上の利用分野】
本発明は、リングホルダおよびこれを用いた旋網の操業方法に係り、特に、旋網操業におけるパースラインの巻き込みの際に、パースラインに係合された複数の環状のパースリングを収納するのに好適なリングホルダおよびこれを用いた旋網の操業方法に関する。
【０００２】
【従来の技術】
従来から、漁法の一種として、魚群を包囲するようにして円形に網を設置し、網裾を締めて下方から魚群が脱出するのを防止するとともに、囲いを次第に狭めて魚群を漁獲する旋網漁法が採用されている。
【０００３】
図１３は、このような旋網漁法に用いられている旋網を示したものであり、この旋網１は、略矩形状の長尺な網本体２を有しており、この網本体２は、大手部３、身網部４および魚捕部５の範囲に区分けされている。
【０００４】
前記網本体２の魚捕側には、一部に開口が形成された袋状の袋網７が着脱自在に配設されるようになっており、この袋網７には、旋網の最終工程である魚汲みの段階において魚群が追い込まれて漁獲されるようになっている。
【０００５】
前記網本体２の図１３おける上端部には、網本体２に一定の浮力を付与する複数の浮子８が、長手方向に所定の間隔を設けて配設されている。
【０００６】
一方、前記網本体２の図１３における下端部には、網本体２に一定の重力を付与することによってこの網本体２を海中に沈めるための沈子９が配設されている。
【０００７】
従って、海中において、前記網本体２は、その沈子側９の端部が下になり、浮子８側が上になった状態で立つことができるようになっている。
【０００８】
このため、網本体２を図１４に示すように魚群１０の周囲に円筒状に張り巡らせることができ、魚群１０を包囲しつつ漁獲することができるようになっている。
【０００９】
前記網本体２の前記沈子９側の端部には、環吊綱１１を介して複数の環状のパースリング１３が、長手方向に所定の間隔を設けて配設されており、これらパースリング１３には、長尺な紐状のパースライン１４が貫通されている。
【００１０】
そして、前記パースライン１４によって網本体２の沈子側縁部を絞りつつ旋網１を船上に巻き上げる、いわゆる環巻作業を行うことにより、魚群１０が包囲網から逃避するのを防止しつつ漁獲を行うことができるようになっている。
【００１１】
【発明が解決しようとする課題】
ところで、このような旋網操業においては、パースウインチ等の巻き込み手段によってパースライン１４の巻き込みを行った後、旋網操業の次工程の準備等の観点から、船上に上げられたパースリング１３を一時的に収納することが必要になるが、従来は、パースリング１３がダビットに揚がった時点でダビットを倒し、パースリング１３を船内に引き込んでいた。
【００１２】
このため、環巻作業にある程度の人員を要し、作業効率の向上を図ることができないといった問題が生じていた。
【００１３】
本発明は、このような問題点に鑑みなされたもので、環巻作業を簡素化することができ、人員削減および省力化を図ることのできるリングホルダを提供することを目的とするものである。
【００１４】
【課題を解決するための手段】
前記目的を達成するため本発明に係るリングホルダの特徴は、前記パースラインの巻き込み方向に長尺とされ、前記パースラインの巻き込みの際に、前記パースラインを摺接保持しつつこのパースラインに係合された各パースリングを順次貫通させて収納するためのロッド部を有し、前記ロッド部は、その基端部を鉛直方向および水平方向に回動可能に支持されている点にある。
【００１５】
そして、このような構成を採用したことにより、パースラインの巻き込みにともなって前記パースリングを前記ロッド部に貫通させることによって自動的に収納することができるとともに、ロッド部の方向転換をすることによって、パースラインの巻き込みの際の魚群の距離や方向に応じてパースリングの適正な収納を行うことができ、さらに、パースラインの巻き込み後に、このパースラインの繰り出しを行いつつ前記パースラインが接続された旋網の魚捕側を船尾側に移動させて後続の魚汲みを行う場合に、パースラインが保持されたロッド部を船尾側に向けて回動させることができるため、パースラインの船尾側への繰り出しを円滑に行うことができる。
【００１６】
請求項２に係るリングホルダを用いた操業方法の特徴は、パースラインの巻き込み方向に沿って長尺とされ、前記巻き込みの際にパースラインを摺接させて保持しつつ前記パースラインに係合されたパースリングを順次貫通させて収納するためのロッド部を有するとともに、このロッド部が、その基端部を鉛直方向および水平方向に回動可能に支持されたリングホルダを用いて前記パースリングの収納を行う点にある。
【００１７】
そして、このような方法を採用したことにより、パースラインの巻き込みにともなって前記パースリングを前記ロッド部に貫通させることによって自動的に収納することができるとともに、ロッド部の方向転換をすることによって、パースラインの巻き込みの際の魚群の距離や方向に応じてパースリングの適正な収納を行うことができる。
【００１８】
請求項３に係るリングホルダを用いた操業方法の特徴は、請求項２において、前記パースラインの巻き込み後、このパースラインをパースリングとともに船尾側へ繰り出しつつ前記パースラインが接続された旋網を船尾側に移動させ、この船尾側において後続の魚汲みを行う場合に、前記パースラインが保持されたロッド部を船尾側に向けて回動させた状態でパースラインおよびパースリングの船尾側への繰り出しを行う点にある。
【００１９】
そして、このような方法を採用したことにより、パースリングの繰り出し方向とロッド部の長手方向とを平行にすることができるため、パースラインの船尾側への繰り出しを円滑に行うことができる。
【００２０】
【発明の実施の形態】
以下、本発明に係るリングホルダの実施形態を図１乃至図１２を参照して説明する。
【００２１】
図１および図２に示すように、本実施形態におけるリングホルダ１６は、このリングホルダ１６を船体の舷に取り付けるための鉛直下方向に屈折した板状の取付け部１７を有しており、この取付け部１７は、ボルト等の締結手段１８によって船体に固定されるようになっている。
【００２２】
前記取付け部１７上には、軸方向が図１における縦方向に平行とされた円柱状の固定軸２０が固設されており、この固定軸２０の上端部には、パースライン１４の巻き込みを保持するための三方ローラ部２２が配設されている。
【００２３】
前記三方ローラ部２２は、軸方向が図１における紙面に垂直とされた円柱状の横方向ローラ２３を有しており、この横方向ローラ２３には、パースライン１４の巻き込みの際にパースライン１４の外周面下部が摺接するようになっている。
【００２４】
また、前記横方向ローラ２３の、図１における右方である巻き込み方向下流側の近傍位置には、軸方向が図１における縦方向に平行とされた円柱形状の一対の縦方向ローラ２４が、図１の紙面垂直方向に所定の間隔を設けて配設されている。これら一対の縦方向ローラ２４には、パースライン１４の巻き込みの際にパースライン１４の両側部が摺接するようになっている。
【００２５】
従って、これら３つのローラ２３，２４にパースライン１４を三方から摺接させることによってパースライン１４の適正な巻き込みを行うことができるようになっている。
【００２６】
前記固定軸２０の外周には、図１の左方である巻き込み方向上流側に向けて水平に延在された回動アーム２５が、前記固定軸２０を支点として水平方向に回動可能に配設されている。前記回動アーム２５の先端部には、一対のブラケット２７が、図１における紙面垂直方向に所定の間隔を設けて併設されており、これら一対のブラケット２７には、パースリング１３を貫通して収納するためのロッド部２８が、その基端部２８ｂを鉛直方向に回動可能に支持されている。
【００２７】
図３および図４に示すように、前記ロッド部２８は、平面形状が挟角の小さなＶ字状に形成されており、挟角側となる先端部２８ａは、その側面形状が上方に突出した、くの字状になるように折り曲げられている。
【００２８】
前記先端部２８ａは、パースライン１４の巻き込みの際に、このパースライン１４を左右から挟んだ状態で摺接させるようになっている。従って、パースライン１４が、その巻き込み方向に直交する横方向へずれてしまうことを防止することができるため、パースライン１４の巻き込み、ひいてはパースライン１４に貫通されたパースリング１３の収納を安定的に行うことができるようになっている。
【００２９】
前記ロッド部２８の先端部２８ａであって折り曲げ部分の基端部には、短尺な棒状の保持シャフト２９が形成されており、この保持シャフト２９によってパースライン１４の巻き込みを下方から保持することができるようになっている。
【００３０】
前記ロッド部２８には、パースライン１４の巻き込みの際にパースライン１４を下方から保持するための図５に示す保持板３０が取り付けられており、この保持板３０によってパースライン１４がロッド部２８から下方に脱落することを防止することができ、さらに安定的な巻き込みを行うことができるようになっている。
【００３１】
さらに、前記ロッド部２８の基端部２８ｂの近傍位置には、ロッド部２８のなすＶ字形状の両辺に跨るようにして、コの字状のライン規制部３２が上方に突出するように形成されており、このライン上方向規制部３２によってパースライン１４の上方への離脱を抑制することができ、さらに安定的な巻き込みを行うことができるようになっている。
【００３２】
従って、前記パースライン１４は、前記ロッド部２８の先端部２８ａを経て前記保持板３０上を通り、ライン規制部３２の規制を受けながら三方ローラ部２２側へ巻き込まれることになる。そして、パースライン１４に環吊綱１１を介して取り付けられたパースリング１３は、図６に示すように順次ロッド部２８に貫通されることになるため、パースライン１４の巻き込みと同時にパースリング１３の収納を自動的に行うことができるようになっている。
【００３３】
前記ブラケット２７によって回動可能に支持されたロッド部２８の基端部には、このロッド部２８の鉛直方向の基準位置を確保する被係止部３３が形成されており、この被係止部３３に対応する前記回動アーム２５上には、この被係止部３３が当接して係止されるための係止部３４が形成されている。従って、前記被係止部３３および前記係止部３４によるロッド部２８の係止位置が、操業の際のロッド部２８の鉛直方向における通常の位置となる。
【００３４】
なお、図１においては、前記ロッド部２８の係止位置は、図１において一点差線で示す水平位置から５０°程度下方に回動した位置となっているが、これに限る必要はなく、設計コンセプトに応じて種々の値を選択すればよい。
【００３５】
次に、前記リングホルダ１６を適用した本発明に係るリングホルダを用いた旋網の操業方法について説明する。
【００３６】
なお、本実施形態において、前記リングホルダ１６は、図８に示すように船体左舷に設置されたパースウインチ４７の近傍に固定されるものとする。
【００３７】
まず、初期状態において、前記ロッド部２８は、前記係止部３４と被係止部３３とによる係止位置に保持されており、初期位置を保持しているものとする。また、ロッド部２８は、水平方向の回動を全く行わず、図２に示すように、ロッド部２８の長手方向と横方向ローラ２３の軸方向とが直交した状態に位置されているものとする。このとき、漁船３５から未だに旋網１の投網は行われていないものとする。
【００３８】
さらに、本実施形態においては、旋網３７の重さを軽減して操業に要する人員やコストをさらに低減する観点から、図７に示す旋網３７を用いることとする。この旋網３７は、大手側の所定範囲の身網部の網目３８の大きさが、この範囲を除いた魚捕側の身網部の網目３８よりも大きく形成されており、パースライン１４の大手側端部が、前記大手側の所定範囲の身網部と、魚捕側の身網部との境界に対応する身網部の位置に接続されているものである。
【００３９】
次に、初期状態から投網を開始する場合は、図８に示すように、海上に抵抗体４０を浮かべて所定の投網位置を確保するとともに、漁船３５を進行させて魚群１０の周囲を周回させつつ旋網３７を魚捕側の端部から先に順次海上に繰り出す。
【００４０】
漁船３５が魚群１０の周囲を一周して船首が抵抗体４０の位置まで到達したら、漁船３５の移動を終了し、図９に示すように抵抗体４０を船首左舷側において取り込む。
【００４１】
その後、船尾右舷に配設された立ローラ４１によって、旋網３７の魚捕側に取り付けられた三角網４２を船体に近づけ、これをストッパフック４３に連結する。
【００４２】
そして、前記投網の終了後、図１０に示すようにパースライン１４の巻き込みと、揚網の準備を行う。すなわち、船尾側に配設された揚網手段としてのボールローラ４４によって大手綱４６を挟持する。
【００４３】
また、パースライン１４を、リングホルダ１６のロッド部２８の先端部２８ａから、保持板３０、三方ローラ部２２を経て船体左舷に設置されたパースウインチ４７の位置まで引き上げるとともに、このパースウインチ４７に巻回されたパースライン元綱４８に連結する。
【００４４】
次に、図１１に示すように、パースウインチ４７の駆動によってパースライン１４の巻き込みを行いつつ前記ボールローラ４４の駆動によって大手側の揚網を行う。
【００４５】
このとき、パースライン１４は、前記ロッド部２８、保持板３０、ライン規制部３２および三方ローラ部２２によって所定の巻き込み方向を保持されているため、パースライン１４の安定的に巻き込むことができる。
【００４６】
また、前記パースライン１４には、旋網３７に連結されたパースリング１３が貫通されているため、パースライン１４の巻き込みにともなって、このパースライン１４に貫通されたパースリング１３が順次ロッド部２８に貫通されるように収納されることになる。このため、パースリング１３の収納をパースライン１４の巻き込みと同時に自動的かつ効率的に行うことができ、環巻作業に要する人員や動力を削減することができる。
【００４７】
さらに、パースライン１４の巻き込み方向は、常に、図２に示した初期状態における方向、すなわち、船首から船尾へ向かう船体の長手方向に直交する方向とは限らず、魚群１０の位置等によっては、初期状態から図２における左右に変位する可能性がある。
【００４８】
かかる場合、前記ロッド部２８を回動アーム２５によって適宜左右に回動することができるため、魚群１０の位置等に応じてパースライン１４の巻き込みを適正に行うことができ、これにともなってパースリング１３を適正に収納することができる。また、ロッド部２８に対して、このロッド部２８の長手方向に直交する左右方向からの大きな力が作用することを防止することができるため、リングホルダ１６の破壊を防ぐことができる。
【００４９】
そして、パースライン１４の巻き込みが完了した時点で、前記リングホルダ１６のロッド部２８には、パースライン１４に係合する複数のパースリング１３が、互いに隣位した状態でそれぞれ前記ロッド部２８に貫通されるようにして収納される。
【００５０】
前記パースライン１４の巻き込みが完了した後、前記ロッド部２８を鉛直方向における初期位置（操業位置）から、例えば図１において二点差線で示す位置（仰角１０°の位置）まで回動させることによって環巻が完了する。
【００５１】
次に、環巻が完了した後は、前記パースライン１４とともに船体左舷に引き上げられた旋網３７の魚捕側を、船体に引き上げた状態を保持しつつ、次工程の魚汲みのために船尾側に移行する。このとき、旋網３７の船尾側への移行にともなって、前記パースウインチ４７を前記巻き込みの際の回転方向とは逆方向に回転させてパースライン１４を船尾側へ繰り出す必要がある。この場合において、前記ロッド部２８を回動アームによって初期状態から図１２に示すように船尾側に９０°回動させることができるため、パースライン１４およびパースラインに貫通されたパースリング１３を船尾側へ円滑に繰り出すことができる。
【００５２】
したがって、本実施形態によれば、パースライン１４の巻き込みにともなって前記パースリング１３を前記ロッド部２８に貫通させることによって自動的に収納することができるため、環巻に要する人員やコストを削減することができる。また、前記回動アーム２５やブラケット２７による支持部によって前記ロッド部２８の方向転換をすることができるため、パースライン１４の巻き込みの際の魚群１０の距離や方向に応じてパースリング１３の適正な収納を行うことができる。
【００５３】
さらに、環巻の次工程の魚汲みのための準備作業を円滑に行うことができ、ひいては操業全体の効率を向上することができる。
【００５４】
なお、本発明は前記実施形態のものに限定されるものではなく、必要に応じて種々変更することが可能である。
【００５５】
例えば、本実施形態は、従来の一般的な構成を有する旋網１に適用した場合においても、好適な効果を発揮し得るものである。
【００５６】
【発明の効果】
以上述べたように本発明に係るリングホルダおよびこれを用いた旋網の操業方法によれば、環巻に要する人員の削減や省力化を図ることができ、また、かかるパースリングの収納を安定的に行うことができ、さらに、旋網を用いた操業全体の効率化を図ることができる。
【図面の簡単な説明】
【図１】本発明に係るリングホルダの実施形態を示す右側側面図
【図２】本発明に係るリングホルダの実施形態を示す平面図
【図３】本発明に係るリングホルダの実施形態において、ロッド部の構成を示す平面図
【図４】本発明に係るリングホルダの実施形態において、ロッド部の構成を示す右側面図
【図５】本発明に係るリングホルダの実施形態において、保持板の構成を示す平面図
【図６】本発明に係るリングホルダの実施形態において、リングホルダによるパースリングの収納状態を示した斜視図
【図７】本発明に係るリングホルダの実施形態において、前記リングホルダによってパースリングの収納を行う際に使用する旋網の構成を示した図
【図８】本発明に係るリングホルダを用いた旋網の操業方法の実施形態において、リングホルダによるパースリングの収納を行う前工程としての旋網の投網開始状態を示す図
【図９】本発明に係るリングホルダを用いた旋網の操業方法の実施形態において、リングホルダによるパースリングの収納を行う前工程としての抵抗体の取り込み状態を示す図
【図１０】本発明に係るリングホルダを用いた旋網の操業方法の実施形態において、リングホルダによるパースリングの収納を行う前工程としてのパースラインの巻き込み準備状態を示す図
【図１１】本発明に係るリングホルダを用いた旋網の操業方法の実施形態において、パースラインの巻き込み状態を示す図
【図１２】本発明に係るリングホルダを用いた旋網の操業方法の実施形態において、リングホルダの収納時における形態を示す平面図
【図１３】従来から使用されている旋網の構成を示した図
【図１４】旋網による魚群の包囲状態を示す図
【符号の説明】
１３  パースリング
１４  パースライン
１６  リングホルダ
１７  取付け部
１８  締結手段
２０  固定軸
２２  三方ローラ部
２５  回動アーム
２７  ブラケット
２８  ロッド部
２８ａ  先端部
２９  保持シャフト
３０  保持板
３２  ライン規制部
３３  被係止部
３４  係止部
【図１】
0004742224.tif 000002
【図２】
0004742224.tif 000003
【図３】
0004742224.tif 000004
【図４】
0004742224.tif 000005
【図５】
0004742224.tif 000006
【図６】
0004742224.tif 000007
【図７】
0004742224.tif 000008
【図８】
0004742224.tif 000009
【図９】
0004742224.tif 000010
【図１０】
0004742224.tif 000011
【図１１】
0004742224.tif 000012
【図１２】
0004742224.tif 000013
【図１３】
0004742224.tif 000014
【図１４】
0004742224.tif 000015